(57)【要約】【課題】用紙切れによる中断ジョブが存在する場合、ジョブを投入したユーザが意図しない用紙でジョブ再開されるのを防ぐことを目的とする。【解決手段】記録媒体の補給を検知する検知手段と記録媒体なしでジョブが中断している際に、検知手段により記録媒体の補給が検知された場合、記録媒体なしで中断中のジョブのユーザがログアウトしている場合には、中断中のジョブの再開処理は行わず、記録媒体なしで中断中のジョブのユーザがログインしている場合には、中断中のジョブの再開処理を行う制御手段と、を有することによって課題を解決する。【選択図】図７
2017134272.tif 000002
【特許請求の範囲】
【請求項１】
記録媒体上に画像形成を行う画像形成装置であって、
記録媒体の補給を検知する検知手段と
記録媒体なしでジョブが中断している際に、前記検知手段により前記記録媒体の補給が検知された場合、記録媒体なしで中断中のジョブのユーザがログアウトしている場合には、前記中断中のジョブの再開処理は行わず、記録媒体なしで中断中のジョブのユーザがログインしている場合には、前記中断中のジョブの再開処理を行う制御手段と、
を有する画像形成装置。
【請求項２】
記録媒体なしでジョブが中断している際に、前記検知手段により前記記録媒体の補給が検知された場合、記録媒体なしで中断中のジョブのユーザがログインしているか否かを判定する判定手段を更に有し、
前記制御手段は、前記判定手段により記録媒体なしで中断中のジョブのユーザがログアウトしていると判定された場合、前記中断中のジョブの再開処理は行わず、前記判定手段により記録媒体なしで中断中のジョブのユーザがログインしていると判定された場合、前記中断中のジョブの再開処理を行う請求項１記載の画像形成装置。
【請求項３】
記録媒体なしでジョブが中断している際に、ユーザがログイン中であった場合、用紙の補給を促す画面を表示する表示手段を更に有する請求項１又は２記載の画像形成装置。
【請求項４】
前記表示手段は、前記ユーザがログアウトした場合、前記画面の表示を終了する請求項３記載の画像形成装置。
【請求項５】
前記制御手段は、更に、記録媒体なしでジョブが中断している際に、ログインイベントが発生した場合、ログインしたユーザと記録媒体なしで中断中のジョブのユーザとが異なる場合には、前記中断中のジョブの再開処理は行わず、ログインしたユーザと記録媒体なしで中断中のジョブのユーザとが同じ場合には、前記中断中のジョブの再開処理を行う請求項１乃至４何れか１項記載の画像形成装置。
【請求項６】
記録媒体上に画像形成を行う画像形成装置が実行する情報処理方法であって、
記録媒体の補給を検知する検知ステップと
記録媒体なしでジョブが中断している際に、前記検知ステップにより前記記録媒体の補給が検知された場合、記録媒体なしで中断中のジョブのユーザがログアウトしている場合には、前記中断中のジョブの再開処理は行わず、記録媒体なしで中断中のジョブのユーザがログインしている場合には、前記中断中のジョブの再開処理を行う制御ステップと、
を含む情報処理方法。
【請求項７】
コンピュータを、請求項１乃至５何れか１項記載の画像形成装置の各手段として機能させるためのプログラム。
【発明の詳細な説明】
【技術分野】
【０００１】
本発明は、画像形成装置、情報処理方法及びプログラムに関する。
【背景技術】
【０００２】
記録媒体の一例として記録用紙がある。現在広く普及している複写機、プリンタ、ＦＡＸ等の画像形成装置では、記録用紙を格納する用紙格納部（給紙段）を持ち、印刷を伴うジョブが投入されるとその用紙格納部から給紙した用紙上に画像形成を行い、画像形成装置機外に排出する構成を取っている。画像形成装置は、ジョブ実行中に用紙切れが発生するとジョブを中断し、用紙の補給やユーザ指示を待機する。ここで、簡単な操作でジョブを再開させるために、用紙の補給が行われると自動的にジョブを再開させる方法が提案されており、一般的な手法となっている（特許文献１）。
【先行技術文献】
【特許文献】
【０００３】
【特許文献１】特開平１１―９５５０４号公報
【発明の概要】
【発明が解決しようとする課題】
【０００４】
しかしながら上述の手法では、ジョブを投入したユーザがログアウト後に用紙切れが発生しジョブが中断した場合、別のユーザによる用紙の補給によりジョブが再開され、補給された用紙が給紙される可能性がある。これにより、ジョブを投入したユーザが意図しない用紙で処理が再開されてしまう可能性がある。
【課題を解決するための手段】
【０００５】
本発明の画像形成装置は、記録媒体上に画像形成を行う画像形成装置であって、記録媒体の補給を検知する検知手段と記録媒体なしでジョブが中断している際に、前記検知手段により前記記録媒体の補給が検知された場合、記録媒体なしで中断中のジョブのユーザがログアウトしている場合には、前記中断中のジョブの再開処理は行わず、記録媒体なしで中断中のジョブのユーザがログインしている場合には、前記中断中のジョブの再開処理を行う制御手段と、を有する。
【発明の効果】
【０００６】
記録媒体切れによる中断ジョブが存在する場合、ジョブを投入したユーザが意図しない記録媒体でジョブ再開されるのを防ぐことができる。
【図面の簡単な説明】
【０００７】
【図１】複合機のハードウェア構成の一例を示す図である。
【図２】複合機の内部構造を示す縦断面図である。
【図３】操作部の配置構成例を示す図である。
【図４】画面の一例を示す図である。
【図５】画面の一例を示す図である。
【図６】通信シーケンスを模式的に示した図である。
【図７】印刷処理の一例を示すフローチャートである。
【図８】画面の一例を示す図である。
【図９】給紙判定処理の一例を示すフローチャートである。
【発明を実施するための形態】
【０００８】
以下、本発明の実施形態について図面に基づいて説明する。
【０００９】
＜実施形態１＞
（複合機１００の構成）
図１は、複合機１００のハードウェア構成の一例を示す図である。複合機１００は、記録媒体上に画像形成を行う画像形成装置の一例である。
ＣＰＵ１０１は、ＲＯＭ１０３又はＨＤＤ１０４に記憶されたプログラムに従って、システムバス１０７に接続される各種装置とのアクセスを統括的に制御すると共に、コントローラ１２５内部で行われる各種処理についても統括的に制御する。ＲＡＭ１０２は、ＣＰＵ１０１が動作するためのシステムワークメモリであり、かつ、画像データを一時記憶するためのメモリでもある。ＲＯＭ１０３には装置のブートプログラム等が格納されている。ＨＤＤ１０４は、ハードディスクドライブであり、プログラムや画像データを格納することが可能である。
操作部Ｉ／Ｆ１０５は、システムバス１０７と操作部１２１とを接続するためのインタフェース部である。この操作部Ｉ／Ｆ１０５は、操作部１２１に表示するための画像データをシステムバス１０７から受け取り操作部１２１に出力すると共に、操作部１２１から入力された情報をシステムバス１０７へと出力する。
Ｎｅｔｗｏｒｋ  Ｉ／Ｆ１０６はＬＡＮやＷＡＮ１２４及びシステムバス１０７に接続し、他の機器と双方向にデータをやり取りする。
画像バス１２０は、画像データをやり取りするための伝送路である画像バスであり、ＰＣＩバス又はＩＥＥＥ１３９４で構成されている。
スキャナ画像処理部１１２は、スキャナ部１２２からスキャナＩ／Ｆ１１１を介して受け取った画像データに対して、補正、加工、及び編集を行う。埋め込み情報抽出部１１０は、画像データから背景画像に埋め込まれているパターンの検出や付加情報の抽出の処理を行う。
【００１０】
圧縮部１１３は、画像データを受け取り、データを圧縮する。伸張部１１５は、データを伸張した後にラスタ展開してプリンタ画像処理部１１７に送る。
プリンタ画像処理部１１７は、伸張部１１５から送られた画像データを受け取り、この画像データに付随させられている属性データを参照しながら画像データに画像処理を施す。また、指示がある場合は符号画像生成部１１６において生成された符号画像データを画像データに合成する。符号画像生成部１１６は、二次元コード画像やバーコード画像、情報埋め込み技術により生成された画像等の符号画像データを生成する。なお、符合画像の生成は、ＲＡＭ１０２内に格納されたプログラムを実行することによって行われる。画像処理後の画像データは、プリンタＩ／Ｆ１１８を介してプリンタ部１２３に出力される。
画像変換部１１４は、画像データに対して回転や色空間変換、２値多値変換、画像合成、間引きといった所定の変換処理を施す。
ＲＩＰ部１０８はＰＤＬコードデータを元に生成された中間データを受け取り、ビットマップデータ（多値）を生成する。生成されたビットマップデータは圧縮部１０９で圧縮されて画像バス１２０へ送られる。
認証処理部１１９は、操作部１２１で入力されたユーザ情報を使用したユーザやワークグループの認証に加えて、印刷ジョブ認証を行う。また、認証処理部１１９は、認証済みユーザやワークグループの情報の管理を行う。
フィニッシャ部１２６は、プリンタ部１２３から排出された複数枚のシートが束ねられたシート束に対してステイプル処理、パンチ処理、ソート等の各種後処理を行う。
ＣＰＵ１０１がＲＯＭ１０３又はＨＤＤ１０４等に記憶されたプログラムに基づき処理を実行することによって、複合機１００の機能、後述する図６のコントローラ１２５に係る処理、図７、図９のフローチャートの処理が実現される。但し、以下では、説明の簡略化のため、コントローラ１２５が処理を行うものとして説明を行う。
【００１１】
（プリンタ部及びスキャナ部の構成）
図２は、複合機１００の内部構造を示す縦断面図である。複合機１００は、図２に示すように、スキャナ部１２２、プリンタ部１２３、フィニッシャ部１２６及び操作部１２１を備える。ここでスキャナ部１２２とプリンタ部１２３とは一体的に構成されている。また、フィニッシャ部１２６はプリンタ部１２３に対して着脱可能に構成されている。
スキャナ部１２２には、原稿給送装置（ＡＤＦ）２０１が搭載されている。ＡＤＦ２０１は、原稿トレイ上に上向きにセットされた原稿を先頭ページから順に１枚ずつ左方向へ給紙し、湾曲したパスを介してプラテンガラス２０２上の所定位置へ搬送する。プラテンガラス２０２上の所定位置へ搬送された原稿は、その左から右方向へスキャナユニット２０３により走査され、原稿上の画像が読み取られる。スキャナユニット２０３が原稿を走査する際には、原稿の読み取り面がスキャナユニット２０３のランプの光で照射され、その原稿からの反射光がミラーを介してレンズに導かれる。このレンズを通過した光は、イメージセンサ２０４の撮像面に光学像として結像される。この光学像は、イメージセンサ２０４によって画像データに変換されて出力される。イメージセンサ２０４から出力された画像データは、スキャナ画像処理部１１２において所定の処理が施された後にプリンタ部１２３の露光制御部２０５にビデオ信号として入力される。
【００１２】
次に、シートの片面に画像形成を行う場合について説明する。
プリンタ部１２３の露光制御部２０５は、入力されたビデオ信号に基づきレーザ光を変調して出力する。レーザ光は不図示のポリゴンミラー等により走査されながら感光ドラム２０６上に照射される。感光ドラム２０６上には、走査されたレーザ光に応じた静電潜像が形成される。
この感光ドラム２０６上の静電潜像は、現像器２０７から供給される現像剤によって現像剤像として可視像化される。また各カセット２０８、２０９、又は手差し給紙トレイ２１０からはシートが給紙される。この給紙されたシートは、その先端がレジストローラ２１１に突き当てられて一旦停止された後に、レーザ光の照射開始と同期したタイミングで、感光ドラム２０６と転写部２１２との間に搬送される。ここで、給紙されたシートの先端がレジストローラ２１１に突き当てられて当該シートが一旦停止されることによって、シートの斜行が補正される。
【００１３】
次いて、感光ドラム２０６に形成された現像剤像は、転写部２１２により、給紙されたシート上に転写される。現像剤像が転写されたシートは、定着部２１３へ搬送される。定着部２１３は、シートを熱圧することによって現像剤像をシート上に定着させる。定着部２１３を通過したシートは、搬送ローラ２１４により、フラッパ２１５へ向けて搬送され、フラッパ２１５により、排出ローラ２１６へ向けて搬送される。そしてシートは、排出ローラ２１６を経てプリンタ部１２３からフィニッシャ部１２６へ排出される。このときシートはフェイスアップの状態で排出される。
また、シートをフェイスダウン状態でフィニッシャ部１２６へ排出することも可能である。このフェイスダウン排出を行う際には、定着部２１３を通過したシートを反転搬送パス２１７へ導くようにフラッパ２１５が切り換えられ、シートはフラッパ２１５を経て、各搬送ローラ２１８、２１９により、反転搬送パス２１７内へ搬送される。反転搬送パス２１７へ搬送されたシートはスイッチバックされ、これにより、シートの表裏が反転される。そして、表裏が反転されたシートは、排出ローラ２１６を経てプリンタ部１２３からフィニッシャ部１２６へ排出される。
フィニッシャ部１２６は、第１パンチユニット２２０と、ステイプルスタッカ部２２１とを有し、これらを用いて複数枚のシートが束ねられたシート束に対してステイプル処理、パンチ処理、ソート等の各種後処理を行うことができる。
第１パンチユニット２２０は、多穴パンチ処理を行うためのユニットである。第１パンチユニット２２０は、プリンタ部１２３から排出されたシートを第１パンチユニット２２０内へ受け入れるための入口搬送ローラ２２２を有する。第１パンチユニット２２０内に搬送されたシートは、フラッパ２２３の切り換え動作に応じて、排出ローラ２２４へ向けて搬送されるか、又は搬送ローラ２２５へ向けて搬送される。ここで、シートがフラッパ２２３により排出ローラ２２４へ向けて搬送される場合は、当該シートが第１パンチユニット２２０をスルーして直接、ステイプルスタッカ部２２１へ搬送される場合である。また、シートがフラッパ２２３により搬送ローラ２２５へ向けて搬送される場合は、当該シートに対して多穴パンチ処理が施される場合である。
【００１４】
搬送ローラ２２５の下流側には、搬送ローラ２２６、センサ２２７、パンチ部２２８及び突き当て板２２９が設けられている。センサ２２７は、シートの先端を検知するためのセンサである。パンチ部２２８は、シート先端（シートの搬送方向に対して先端となる部位）に多数個の穴例えば３０個の穴をあける多穴パンチ処理を行う。突き当て板２２９は、通常時、シート搬送路を開放する位置にある。突き当て板２２９は、所定のタイミングでπ／２（ｒａｄ）角度的に回転され、シート先端と突き当て可能なようにシート搬送路上に突出する。この突き当て板２２９にシート先端を突き当てることにより、シートをパンチ部２２８に対して所定の精度で位置決めすることができる。
突き当て板２２９の下流側には、各搬送ローラ２３０〜２３３が設けられ、各搬送ローラ２３０〜２３３により、シートを排出ローラ２２４へ導くための搬送路が形成される。
ステイプルスタッカ部２２１は、第１パンチユニット２２０から排出されたシートを当該ユニット内へ受け入れるための入口ローラ２３４を有する。入口ローラ２３４を介してステイプルスタッカ部２２１内へ搬送されたシートは、第２パンチユニット２３５へ導かれる。
第２パンチユニット２３５は、少数穴パンチ処理が設定されている場合に、シート後端（シートの搬送方向に対して後端となる部位）に少数個の穴例えば２〜４個の穴をあける少数穴パンチ処理を行う。また、第２パンチユニット２３５は、少数穴パンチ処理が設定されていない場合、シートをスルーさせて下流側へ搬送するように動作する。この第２パンチユニット２３５内には、シート後端を検知するためのセンサ２３６、及びシート後端が突き当てられる突き当て板２３７が設けられている。
第２パンチユニット２３５が少数穴パンチ処理を行う際には、センサ２３６がシートの後端を検知した後の所定のタイミングで第２パンチユニット２３５内の搬送ローラが逆転される。また、突き当て板２３７がπ／２（ｒａｄ）角度的に回転され、搬送路上に突出される。そして、シートは突き当て板２３７に向けてスイッチバックされ、シート後端が突き当て板２３７に突き当てられた状態で停止される。このようにしてシートが後端を基準にして位置決めされた状態で、当該シート後端に対して少数個の穴があけられる。その後、シートは上記搬送ローラによりフラッパ２３８へ向けて搬送される。
【００１５】
フラッパ２３８は、シートをノンソートパス２３９又は搬送ローラ２４０へ導くように切り換え動作を行う。ここで、ソート、パンチ、ステイプル処理等の後処理が設定されておらずシートをそのまま排出する場合は、フラッパ２３８により、シートがノンソートパス２３９へ導かれる。ノンソートパス２３９へ導かれたシートは、搬送ローラ２４１により、スタックトレイ２４２へ排出される。
シートに対してソートやステイプル等の後処理が設定されている場合、プリンタ部１２３は、シートをフェイスダウン状態でフィニッシャ部１２６へ排出する。そして、フィニッシャ部１２６内に搬入されたシートは第１パンチユニット２２０を経てステイプルスタッカ部２２１へ搬送された後に、フラッパ２３８により、搬送ローラ２４０へ導かれる。次いで、シートは搬送ローラ２４０により、束排紙ベルト２４３上へ排出される。ここで、束排紙ベルト２４３に並行して数ミリ高い位置には、不図示の低摩擦の中間処理トレイが設けられており、実際にはシートは、中間処理トレイ上に排出される。排出されたシートは、中間処理トレイ（束排紙ベルト２４３）に沿って自重で右下方向に落下する。更に、扇形の戻しローラ２４４が反時計方向に回転し、その外縁部に設けられた摩擦部材がシートに当接する。この摩擦部材の当接により、シートには右下方向に落下させる力が作用し、シートの端部がストッパ板２４５に突き当てられる。これにより、シートに対して縦方向（送り方向）の揃えが行われる。
【００１６】
また、中間処理トレイ上には、その手前側と奥側とのそれぞれに位置する整合板２４６が設けられている。各整合板２４６は、中間処理トレイ上にシートが排出される毎に駆動される。これにより、中間処理トレイ上のシートに対して横方向（幅方向）へ揃えが行われる。
そして、所定枚数のシートが中間処理トレイ上に排出されて積載されると、束排紙ベルト２４３が駆動され、シートがスタックトレイ２４２又は２４７上へ排出される。また、ステイプルモードが設定されている場合、ステイプルを行う一束分のシートが中間処理トレイ上に排出され、整合板２４６によりシートの横方向への揃えが行われる。その後、ステイプルユニット２５０が駆動されてシート束が綴じられ、綴じられたシート束は、束排紙ベルト２４３によりスタックトレイ２４２又は２４７上へ排出される。ここで、各スタックトレイ２４２、２４７は昇降動作可能に構成されている。また、各スタックトレイ２４２、２４７には、シートの有無を検知するためのセンサ２４８、２４９が設けられている。
また、ステイプルユニット２５０は、シート後端の奥側位置を綴じる「コーナー綴じ」、シート後端を２箇所で綴じる「ダブル綴じ」を行うことが可能である。シートに対する綴じ位置は、ユーザにより設定される。
【００１７】
（操作部の構成）
図３は、操作部１２１の配置構成例を示す図である。キー３０１は、スタートキーであり、スキャナ部１２２によるスキャン開始指示を受け付けるキーである。キー３０２はクリア／ストップキーであり、装置が待機中はクリアキー、ジョブ実行中はストップキーの機能を有する。キー３０３はテンキーであり、数字を入力することが可能である。３１３はユーザモードキーであり、複合機１００の設置を行うユーザモード画面に遷移することが可能である。領域３０４はコピーやファックス送信等を実行する際に各種設定を行うための画面を表示する機能画面領域であり、コピー機能画面を例に説明する。キー３０５は用紙選択キーである。ユーザはキー３０５を用いて印刷出力する用紙を給紙段又は自動用紙選択から選択する。キー３０６は等倍キーである。ユーザは等倍で印刷出力する場合にキー３０６を指定する。キー３０７はズームキーである。ユーザはキー３０７を用いて任意の倍率を指定することが可能である。キー３０８はカラーモード選択キーである。ユーザは、キー３０８を用いて印刷出力するカラーモードと選択することが可能である。キー３０９〜３１２は様々な処理に対応するキーを設定可能なショートカットキーである。例えば、ユーザはキー３０９〜３１２等を用いて仕上げ設定、両面モード、濃度設定、原稿の種類等を設定することができる。
【００１８】
（用紙カセット自動選択のＯＮ／ＯＦＦ設定手段）
用紙カセット自動選択のＯＮ／ＯＦＦ設定手段について、図４を用いて説明する。
コントローラ１２５は、ユーザモードキー３１３が押下されると、不図示のユーザモード画面を操作部１２１に表示し、ユーザの入力を待機する。このユーザモード画面には複合機１００の各種設定を行うための複数の項目が存在する。コントローラ１２５は、複数の項目のうちの１項目が選択されると、操作部１２１の画面を選択された項目の設定画面に遷移させる。このユーザモード画面は関連する項目毎にグループ化、階層化して表示されていてもよい。コントローラ１２５は、複数の項目の中の１つである「用紙カセット自動選択のＯＮ／ＯＦＦ設定」が選択されたことを検知すると、図４（ａ）に示す用紙カセット自動選択のＯＮ／ＯＦＦ設定画面４００を表示する。用紙カセット自動選択のＯＮ／ＯＦＦ設定画面４００ではジョブ種毎に複合機が自動的に選択できる給紙段を選択することができる。例えばコピーで自動的に選択できる給紙段を設定する場合、ユーザはコピーボタン４０１を選択する。コントローラ１２５は、コピーボタン４０１が選択されたことを検知すると、図４（ｂ）に示すコピーの用紙カセット自動選択ＯＮ／ＯＦＦ設定画面４１０を表示する。４１１〜４１３はプリンタ部が有する手差し給紙トレイ２１０及びカセット２０８、２０９に設定されている用紙サイズ、用紙の種類を示している。４１４〜４１６は各給紙段の用紙カセット自動選択の設定値を示している。ＯＮに設定されている給紙段はコピージョブにおいて用紙カセット自動選択の対象であることを示している。つまり、ＯＮに設定されている給紙段が、後述する給紙判定処理（図９）において検索対象の給紙段となる。ボタン４１７は用紙の種類を考慮するか否かを設定するボタンである。ボタン４１７の用紙の種類を考慮するがＯＮに設定されている場合、後述する給紙判定処理（図９）において、用紙の種類が一致する場合のみ給紙動作を継続する。コントローラ１２５は、図４に示した画面等で設定された設定項目とその設定値等を設定情報として例えばＨＤＤ１０４等に記憶する。以下の図５に示す画面等の設定においても同様である。そして、コントローラ１２５は、後述する図９のフローチャートの処理等においてＨＤＤ１０４等に記憶した設定情報に基づき判定処理等を行う。
【００１９】
（用紙種類の設定手段）
用紙種類の設定手段について、図５を用いて説明する。
コントローラ１２５は、操作部１２１を介して前述のユーザモード画面に表示される複数の項目の中の１つである「用紙種類の設定」が選択されたことを検知すると、図５（ａ）に示す用紙種類の設定画面５００を操作部１２１に表示する。ユーザは用紙の種類設定画面では各給紙段の用紙種類を設定することができる。給紙段選択ボタン５０１、５０２は給紙段を選択するためのボタンである。ユーザは、このボタンを押下することで用紙種類を設定する給紙段を選択することができる。コントローラ１２５は、給紙段選択ボタン５０１又は５０２の選択、及び設定ボタン５０３の押下を検知すると、操作部１２１に図５（ｂ）に示す用紙種類選択画面５１０を表示する。ボタン群５１１は用紙種類設定ボタン群である。ユーザはこのボタン群５１１の何れかを選択することで用紙の種類を設定することができる。
【００２０】
（印字処理におけるコントローラ１２５とプリンタ部１２３の通信シーケンス）
図６は、コントローラ１２５とプリンタ部１２３とが印字処理を行う際の通信シーケンスを模式的に示した図である。
まず、１ページを印字する場合、コントローラ１２５は、プリンタ部１２３に対して、印字準備要求６０１を発行する。印字準備要求を受け取ったプリンタ部１２３は、定着器温度制御や、前回転等のプリント前処理を開始する。プリント前処理が完了した後、プリンタ部１２３は、コントローラ１２５に対して、印字準備ステータス６０２を発行する。印字準備ステータス６０２を受け取ったコントローラ１２５は、用紙の給紙を要求するために、プリンタ部１２３に対して給紙実行要求６０３を発行する。このとき、コントローラ１２５は、カセット２０８、２０９、手差し給紙トレイ２１０の何れから給紙するのかをプリンタ部１２３に通知する。
給紙実行要求６０３を受け取ったプリンタ部１２３は、用紙の給紙を開始し、各用紙格納部に装着されているそれぞれのセンサに対して、給紙した用紙の後端を検知した後に、コントローラ１２５に対して給紙結果ステータス６０４を発行する。用紙なし等のエラーが発生した場合には給紙結果ステータス６０４でプリンタ部１２３は、コントローラ１２５に対してエラーを通知する。
用紙の給紙を行ったプリンタ部１２３は、次に、所定の位置まで用紙が達したら、印字開始許可（印字開始準備完了６０５）を発行する。プリンタ部１２３から印字開始許可（印字開始準備完了６０５）を受け取ったコントローラ１２５は、実際に画像形成が可能な状態になった時点で印字実行要求６０６をプリンタ部１２３に対して発行し、画像の形成、定着を要求する。その後、コントローラ１２５とプリンタ部１２３との間でＩｍａｇｅのハード信号同期が行われ、画像形成、更には定着が行われる。画像形成が行われた用紙が片面の場合には機外排出されスタックトレイ２４２又は２４７に積載されたタイミング、又は両面の場合には片面完了のタイミングでプリンタ部１２３は、コントローラ１２５に対して印字結果ステータス６０７を発行する。そして用紙がスタックトレイ２４２又は２４７に積載され、後続の出力画像が存在しない場合に、コントローラ１２５は、プリンタ部１２３に対して印字終了通知６０８を発行する。
【００２１】
（印刷処理）
図７は、印刷処理の一例を示すフローチャートである。Ｓ７０１〜Ｓ７２１は各ステップを表す。
まず、Ｓ７０１においてコントローラ１２５は、印刷実行指示を受信したか判定する。コントローラ１２５は、受信していない場合はＳ７０１の処理に戻る。Ｓ７０１で印刷実行指示を受信したと判定した場合、コントローラ１２５は、Ｓ７０２に処理を進める。
Ｓ７０２においてコントローラ１２５は、プリンタ部１２３に対し、給紙実行要求６０３を発行する。このときコントローラ１２５は、どの給紙段から用紙を給紙するのかをプリンタ部１２３に通知する。
Ｓ７０３においてコントローラ１２５は、プリンタ部１２３より給紙結果ステータス６０４を受信する。
Ｓ７０４においてコントローラ１２５は、受信した給紙結果ステータス６０４が用紙なしエラーかどうか判定する。
コントローラ１２５は、Ｓ７０４で用紙なしエラーではないと判定した場合、Ｓ７０５に処理を進め、用紙なしエラーと判定した場合、Ｓ７０７に処理を進める。
Ｓ７０５においてコントローラ１２５は、印字処理を行う（図６の６０５〜６０８）。
続いて、Ｓ７０６においてコントローラ１２５は、次ページが存在するか確認する。コントローラ１２５は、次ページが存在する場合はＳ７０２の処理に戻る。Ｓ７０６で次ページが存在しないと判定した場合、コントローラ１２５は、図７に示すフローチャートの処理を終了する。
【００２２】
Ｓ７０７において、コントローラ１２５は、認証処理部１１９に対し認証状態を問い合わせ、問い合わせ結果に基づきログイン中か否かを判定する。
Ｓ７０７でログイン中と判定した場合、Ｓ７０８においてコントローラ１２５は、操作部１２１に図８に示す用紙なし画面８００を表示する。給紙段選択ボタン８０１〜８０３は給紙段を選択するためのボタンである。ユーザは、このボタンを押下することで強制給紙する給紙段を選択することができる。ユーザは、給紙段選択ボタン８０１〜８０３の何れかを選択し、ＯＫボタン８０４を押下することで強制給紙を指示することができる。ボタン８０５は中止ボタンである。ユーザは、このボタンを押下することで用紙なし中断中のジョブを中止することができる。Ｓ７０７でログイン中ではないと判定した場合、コントローラ１２５は、Ｓ７０８の処理を行わず、Ｓ７０９に処理を進める。
Ｓ７０９においてコントローラ１２５は、イベントを待機する。
イベントを受信すると、Ｓ７１０においてコントローラ１２５は、まずログアウトイベントかどうか判定する。コントローラ１２５は、ログアウトイベントと判定した場合、Ｓ７１１に処理を進め、ログアウトイベントでないと判定した場合、Ｓ７１２に処理を進める。
Ｓ７１１においてコントローラ１２５は、Ｓ７０８で表示した用紙なし画面８００をクローズし、Ｓ７０９の処理に戻る。
【００２３】
Ｓ７１２においてコントローラ１２５は、受信したイベントが操作部イベントかどうか判定する。コントローラ１２５は、操作部イベントと判定した場合、Ｓ７１３に処理を進め、操作部イベントでないと判定した場合、Ｓ７１７に処理を進める。
Ｓ７１３においてコントローラ１２５は、受信した操作部イベントが強制給紙要求か中止要求かを判定する。コントローラ１２５は、強制給紙要求と判定した場合は、Ｓ７１４に処理を進め、中止要求と判定した場合は、Ｓ７１６に処理を進める。
Ｓ７１４においてコントローラ１２５は、プリンタ部１２３に対して用紙なしエラーにより中断しているジョブの給紙実行要求６０３を発行する。このとき、コントローラ１２５は、カセット２０８、２０９、手差し給紙トレイ２１０の何れから給紙するのかを、図８の給紙段選択ボタン８０１〜８０３により選択された給紙段に従ってプリンタ部１２３に通知する。
Ｓ７１５においてコントローラ１２５は、プリンタ部１２３に対し印字実行要求６０６を発行し、画像の形成、定着を要求し、図７に示すフローチャートの処理を終了する。
Ｓ７１６においてコントローラ１２５は、プリンタ部１２３に対し用紙なしエラーにより中断しているジョブの中止要求を行い、図７に示すフローチャートの処理を終了する。
【００２４】
Ｓ７１７においてコントローラ１２５は、受信したイベントがログインイベントかどうか判定を行う。コントローラ１２５は、ログインイベントだと判定した場合、Ｓ７２０に処理を進め、ログインイベントではないと判定した場合、Ｓ７１８に処理を進める。
Ｓ７１８においてコントローラ１２５は、受信したイベントが用紙補給検知かどうか判定する。コントローラ１２５は、用紙補給検知ではないと判定した場合、Ｓ７０９の処理に戻り、用紙補給検知と判定した場合、Ｓ７１９に処理を進める。
Ｓ７１９においてコントローラ１２５は、認証処理部１１９に対し認証状態を問い合わせ、問い合わせ結果に基づき、ログイン中か否かを判定する。コントローラ１２５は、ログイン中ではないと判定した場合、Ｓ７０９の処理に戻り、ログイン中と判定した場合、Ｓ７２０に処理を進める。
Ｓ７２０においてコントローラ１２５は、後述する図９に示す給紙判定処理を行う。
Ｓ７２１においてコントローラ１２５は、用紙なし中断中のジョブの給紙動作が再開されたか判定する。コントローラ１２５は、用紙なし中断中のジョブの給紙動作が再開されていないと判定した場合はＳ７０９の処理に戻り、再開されたと判定した場合はＳ７０５の処理に戻る。
【００２５】
（ジョブ再開処理）
図９は、給紙判定処理の一例を示すフローチャートである。Ｓ９０１〜Ｓ９１４は各ステップを表す。
Ｓ９０１においてコントローラ１２５は、認証処理部１１９からログインユーザ情報を取得する。
Ｓ９０２においてコントローラ１２５は、ＲＡＭ１０２等に記憶している用紙なし中断中ジョブよりジョブオーナーを取得する。ジョブオーナーは、例えば、ジョブの属性情報等に含まれており、ジョブを生成した、又はジョブを投入したユーザのユーザＩＤ等である。
Ｓ９０３においてコントローラ１２５は、ログインユーザと用紙なし中断中ジョブのジョブオーナーとが一致するか判定する。コントローラ１２５は、一致しないと判定した場合は、図９に示すフローチャートの処理を終了し、一致すると判定した場合、Ｓ９０４の処理に進む。
Ｓ９０４においてコントローラ１２５は、用紙なし給紙段（以降、給紙段Ａと記載）は図４で説明した用紙カセット自動選択（以降、ＡＣＣ（ＡｕｔｏＣａｓｓｔｔｅＣｈａｎｇｅ）と記載）の対象かどうか判定する。コントローラ１２５は、給紙段ＡがＡＣＣの対象給紙段ではないと判定した場合は、図９に示すフローチャートの処理を終了し、ＡＣＣの対象給紙段と判定した場合は、Ｓ９０５に処理を進める。
【００２６】
Ｓ９０５においてコントローラ１２５は、優先順位の最も高いものから順にプリンタ部１２３の給紙段を検索対象として選択する。通常、プリンタ部１２３の給紙段の優先順位は転写部２１２までの搬送路が短いものから選ばれる。つまり図２で示したプリンタ部１２３における給紙段の順位はカセット２０８、２０９、手差し給紙トレイ２１０の順となる。
次にＳ９０６においてコントローラ１２５は、Ｓ９０５で全ての給紙段を検索対象として選択し、検索対象として選択していない給紙段が存在するか否かを判定する。コントローラ１２５は、Ｓ９０６で検索対象として選択していない給紙段が存在しないと判定した場合は図９に示すフローチャートの処理を終了し、存在すると判定した場合はＳ９０７に処理を進める。
Ｓ９０７においてコントローラ１２５は、Ｓ９０５で選択された検索対象の給紙段（以降、給紙段Ｂと記載）が図４で説明したＡＣＣ対象給紙段か判定する。コントローラ１２５は、給紙段ＢがＡＣＣ対象給紙段ではないと判定した場合、Ｓ９０５に戻り、次の検索対象の給紙段を選択する。一方、コントローラ１２５は、給紙段ＢがＡＣＣ対象給紙段であると判定した場合、Ｓ９０８の処理に進む。
Ｓ９０８においてコントローラ１２５は、給紙段Ｂに用紙が存在するか判定する。コントローラ１２５は、用紙が存在すると判定した場合はＳ９０９に処理を進め、用紙が存在しないと判定した場合はＳ９０５に戻り、次の検索対象の給紙段を選択する。
Ｓ９０９においてコントローラ１２５は、用紙なしが発生した給紙段Ａの用紙サイズと給紙段Ｂに存在する用紙サイズとが一致するか判定する。コントローラ１２５は、用紙サイズが一致すると判定した場合はＳ９１０に処理を進め、用紙サイズが一致しないと判定した場合はＳ９０５に戻り、次の検索対象の給紙段を選択する。
【００２７】
Ｓ９１０においてコントローラ１２５は、用紙なしが発生した給紙段Ａの用紙タイプと給紙段Ｂに存在する用紙種類とが一致するか判定する。コントローラ１２５は、用紙種類が一致すると判定した場合はＳ９１４に処理を進め、用紙種類が一致しないと判定した場合はＳ９１１に処理を進める。
Ｓ９１１においてコントローラ１２５は、図４で説明した用紙種類を考慮するか否かの設定がＯＮ（考慮する）になっているかどうか判定する。コントローラ１２５は、ＯＮになっていると判定した場合はＳ９０５に戻り、次の検索対象の給紙段を選択する。一方、コントローラ１２５は、ＯＮになっていない、つまり考慮しない設定になっていると判定した場合はＳ９１２に処理を進める。
Ｓ９１２においてコントローラ１２５は、給紙段Ａの用紙種類が用紙種類不一致で選択できる用紙種類か否かを判定する。用紙種類が不一致でも選択できる用紙種類には、普通紙、再生紙、色紙等が存在する。コントローラ１２５は、用紙種類不一致でも選択できる用紙種類と判定した場合、Ｓ９１３に処理を進め、選択できないと判定した場合はＳ９０５に戻り、次の検索対象の給紙段を選択する。
Ｓ９１３においてコントローラ１２５は、給紙段Ｂの用紙種類が用紙種類不一致で選択できる用紙種類かを判定する。コントローラ１２５は、Ｓ９１３で用紙種類が不一致でも選択できる用紙種類と判定した場合、Ｓ９１４に処理を進め、選択できないと判定した場合はＳ９０５に戻り、次の検索対象の給紙段を選択する。
Ｓ９１４においてコントローラ１２５は、プリンタ部１２３に対して用紙なしエラーにより中断しているジョブの給紙実行要求６０３を発行する。このときコントローラ１２５は、給紙段Ｂからの給紙を通知する。続いてコントローラ１２５は、プリンタ部１２３に対し印字実行要求６０６を発行し、図９に示すフローチャートの処理を終了する。
【００２８】
以上、実施形態で説明した情報処理により、用紙なし中断ジョブのジョブオーナーがログインしていない状態で用紙が給紙されても自動でジョブが再開されることを防ぐことができる。また、用紙なし中断ジョブのジョブオーナーがログイン後に用紙補給、又は用紙を補給後にログインすることで簡単に用紙なし中断中ジョブを再開することができる。
【００２９】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３０】
以上、本発明の好ましい実施形態について詳述したが、本発明は係る特定の実施形態に限定されるものではない。上述した実施形態では、記録媒体の一例として記録用紙（用紙）を用いて説明したがこれに限定されるものではない。記録媒体としては、例えば、ＯＨＰフィルム等であってもよい。
【００３１】
以上、上述した各実施形態によれば、用紙切れによる中断ジョブが存在する場合、ジョブを投入したユーザがログアウトしている場合は用紙補給による自動再開を行わないことで、ジョブを投入したユーザが意図しない用紙でジョブ再開されるのを防ぐことができる。また、用紙を補給したユーザが、自分の用紙が別のユーザのジョブに使用されてしまうことを防ぐことができる。
【符号の説明】
【００３２】
１００  複合機
１０１  ＣＰＵ
１０４  ＨＤＤ
【図１】
2017134272.tif 000003
【図２】
2017134272.tif 000004
【図３】
2017134272.tif 000005
【図４】
2017134272.tif 000006
【図５】
2017134272.tif 000007
【図６】
2017134272.tif 000008
【図７】
2017134272.tif 000009
【図８】
2017134272.tif 000010
【図９】
2017134272.tif 000011